(57)【要約】    【課題】  厚さ方向両方の側の単繊維層を利用して種々の清掃対象を清掃することができ、厚さ方向一方の側の単繊維層から他方の側の単繊維層に汚れが伝わらない。    【解決手段】  熱溶融性の単繊維１０が略並列状に集合して所要厚さで所定長さの平面方形状の層状をなす第１単繊維層１２と、同様の構成の第２単繊維層１４と、前記単繊維１０の長さを幅とし前記所定長さを長さとする方形状の熱溶融繊維製の２枚の不織布１６が、第１単繊維層１２と第２単繊維層１４の間に２枚の不織布１６が位置するように積層した積層物を用いて製造し得る。積層物の各単繊維１０方向（左右方向）における中央を挟んだ一対の対称位置において、長さ方向全体にわたり、各単繊維１０に直交する一対の外側熱融着線１８によって、第１単繊維層１２と第２単繊維層１４の全単繊維１０及び両不織布１６を厚さ方向に熱融着させる。【選択図】      図１
2005261731.tif 000002
【特許請求の範囲】
【請求項１】
熱溶融性の単繊維が略並列状に集合して所要厚さの層状をなす単繊維層と、複数枚の重なった熱溶融性のシートとが積層し、
前記各単繊維層を構成する単繊維と前記シートが、厚さ方向に熱融着して一体状をなし、
前記複数枚のシートの間に、前記熱融着により、又は予め、少なくとも一端を開口する払拭材保持用の挿入孔が形成され、
各単繊維層を構成する単繊維群の少なくとも一端側は房状部を形成することを特徴とする払拭材。
【請求項２】
厚さ方向両側に単繊維層が位置する請求項１記載の払拭材。
【請求項３】
上記シートの一方の側に上記単繊維層が積層してそれらの単繊維層とシートが厚さ方向に熱融着した一体状物が、厚さ方向両側に単繊維層が位置するように二つ折りされた状態で、各単繊維層を構成する単繊維とシートが厚さ方向に熱融着して一体状をなす請求項２記載の払拭材。
【請求項４】
端縁部における厚さ方向に垂直な一定面積部分の上記単繊維層と上記シートが、その一定面積部分内に分布した複数箇所において厚さ方向に熱融着して薄厚の隙間挿入部に形成された請求項１、２又は３記載の払拭材。
【請求項５】
少なくとも何れか二つの単繊維層の間に、それらの単繊維層同士を全体として厚さ方向に隔てる熱溶融性のシートを有する請求項１乃至４の何れかに記載の払拭材。
【請求項６】
上記熱融着が、上記単繊維層を構成する単繊維に交差する熱融着線によって行われている請求項１乃至５の何れかに記載の払拭材。
【請求項７】
上記熱融着線の少なくとも一部が、上記単繊維層を構成する単繊維の長さ方向に間隔を隔てた２本の熱融着線であり、上記挿入孔が、前記２本の熱融着線の間に位置する請求項６記載の払拭材。
【請求項８】
上記積層した単繊維層のうち厚さ方向一方の側および／または他方の側に、上記２本の熱融着線の間に形成された特定熱融着線のみにより他の単繊維層に熱融着している特定単繊維層を１又は２以上を有し、その特定単繊維層を構成する単繊維群が房状部を形成している請求項７記載の払拭材。
【請求項９】
上記特定単繊維層が、熱溶融性の単繊維と非熱溶融性の単繊維が混合して構成されたものである請求項８記載の払拭材。
【請求項１０】
上記単繊維層の１又は２以上が、その単繊維層を構成する単繊維の一部として、他の単繊維よりも剛性が高い剛単繊維を満遍なく含む請求項１乃至９の何れかに記載の払拭材。
【請求項１１】
上記剛単繊維の剛性及び径が、その剛単繊維を含む単繊維層を構成する他の単繊維の剛性及び径のそれぞれ２倍以上である請求項９記載の払拭材。
【請求項１２】
上記単繊維層が、熱溶融性の単繊維と非熱溶融性の単繊維が混合して構成されたものである請求項１乃至１１の何れかに記載の払拭材。
【発明の詳細な説明】
【技術分野】
【０００１】
本発明は、単繊維が略並列状に集合して所要厚さの層状をなす単繊維層により房状部を利用して清掃を行うことができる払拭材に関する。
【背景技術】
【０００２】
特開２００２−３６９７８３号公報（特許文献１）には、刷毛部が、軟質なシートで細長く形成された複数の短冊片と、繊維束とで形成されていることを特徴とする清掃用物品が開示されている。この清掃用物品は、刷毛部が、短冊片と繊維束とで形成されているため、繊維束が絡んだり丸まったりしにくくなり、刷毛部の保形性を高めることができ、特に短冊片と繊維束とを部分的に接合しておくと、刷毛部を形成する繊維束の剛性を高くでき、長期間使用しても繊維束が丸まったり縮まったりするのを防止できるようになるものとされている。
【０００３】
このような清掃用物品は、使い捨てを前提とする場合がほとんどであるが、その場合、一方の側のみ使用可能とすると、需要者にとって高コストになるおそれがある。また、両方の側を使用可能とすると、一方の側を使用した際の汚れが他方の側にも及び、両方の側を十分に効果的に利用することができないおそれがある。更に、溝状部やその他の凹部並びに隅角部等の塵埃については、軟質シートから形成された短冊片では十分な掻き出し効果が得られ難いおそれがある。
【特許文献１】特開２００２−３６９７８３号公報
【発明の開示】
【発明が解決しようとする課題】
【０００４】
本発明は、上記背景技術の下で行われたものであって、その目的とするところは、単繊維層を利用して種々の清掃対象を清掃することができる払拭材、厚さ方向両方の側の単繊維層を利用して種々の清掃対象を清掃することができる払拭材、厚さ方向一方の側の単繊維層から他方の側の単繊維層に汚れが伝わらない払拭材、又は溝状部やその他の凹部並びに隅角部等の塵埃を掻き出し得る払拭材を提供することある。
【課題を解決するための手段】
【０００５】
上記目的を達成する本発明の払拭材は、
熱溶融性の単繊維が略並列状に集合して所要厚さの層状をなす単繊維層と、複数枚の重なった熱溶融性のシートとが積層し、
前記各単繊維層を構成する単繊維と前記シートが、厚さ方向に熱融着して一体状をなし、
前記複数枚のシートの間に、前記熱融着により、又は予め、少なくとも一端を開口する払拭材保持用の挿入孔が形成され、
各単繊維層を構成する単繊維群の少なくとも一端側は房状部を形成することを特徴とする。
【０００６】
この払拭材では、単繊維の自由端から熱融着箇所に至るまでの部分が房状部を形成する。挿入孔に払拭材保持具を挿入して払拭材を保持し、積層した単繊維層のうち少なくとも厚さ方向一方の側の単繊維層における房状部を利用して種々の清掃対象を清掃することができる。なお、この単繊維層は、熱溶融性の単繊維と非熱溶融性の単繊維が混合して構成されたものとすることができる。
【０００７】
上記払拭材は、厚さ方向両側に単繊維層が位置するものとすることができる。
【０００８】
この場合、挿入孔に払拭材保持具を挿入して払拭材を保持し、積層した単繊維層のうち厚さ方向一方の側の単繊維層における房状部により種々の清掃対象を清掃することができる。一方の側の単繊維層の使用後は、厚さ方向他方の側の単繊維層における房状部により清掃を行い得る。その際、必要に応じ払拭材保持具の挿入姿勢等を変更する。このように両側の単繊維層を何れも清掃に利用することができるので、たとえ使い捨てとするものであっても全体を十分に利用することができる。
【０００９】
また上記払拭材は、上記シートの一方の側に上記単繊維層が積層してそれらの単繊維層とシートが厚さ方向に熱融着した一体状物が、厚さ方向両側に単繊維層が位置するように二つ折りされた状態で、各単繊維層を構成する単繊維とシートが厚さ方向に熱融着して一体状をなすものとすることができる。
【００１０】
この場合の払拭材は、シートの一方の側に単繊維層が積層して両者が厚さ方向に熱融着したものが、厚さ方向両側に単繊維層が位置するように二つ折りされ、更にその折畳物の厚さ方向に熱融着して一体状をなすものであるため、厚さ方向両側に単繊維層が位置する払拭材を確実且つ容易に製造することができる。なお、シートの一方の側に第１の単繊維層が積層して両者が厚さ方向に熱融着したものにおけるシートの他方の側に第２の単繊維層（或いは更なる単繊維層）を積層し、厚さ方向両側に第１の単繊維層が位置してシートの間に第２の単繊維層を挟むように二つ折りされた状態で、各単繊維層を構成する単繊維とシートが厚さ方向に熱融着して一体状をなすものとすれば、厚さ方向両外側の第１の単繊維層により形成される房状部とシートの間の第２の単繊維層により形成される房状部の両者によって、全体として房状部の密度を高めることができる。
【００１１】
上記払拭材は、端縁部における厚さ方向に垂直な所定部分の上記単繊維層と上記シートが、その所定部分内に分布した複数箇所において厚さ方向に熱融着して薄厚の隙間挿入部に形成されたものとすることができる。
【００１２】
この場合、隙間挿入部を構成する所定部分は、複数箇所の熱融着部により全体として薄厚になるので隙間に対する挿入性が良くなり、熱融着部以外はやや厚目になるので隙間の清掃効果が高くなる。なお、このような所定部分は、単繊維層を構成する単繊維の繊維方向において両側が熱融着部（熱融着線）により挟まれた部分とすることが望ましい。
【００１３】
また、上記払拭材は、少なくとも何れか二つの単繊維層の間に、それらの単繊維層同士を全体として厚さ方向に隔てる熱溶融性のシートを有するものとすることができる。
【００１４】
この場合、厚さ方向一方の側の単繊維層を用いた清掃による汚れが他方の側の単繊維層を構成する単繊維に拡がることが防がれるので、一方の側の単繊維層と他方の側の単繊維層を何れも有効に清掃に利用することができる。
【００１５】
上記払拭材は、上記熱融着が、上記単繊維層を構成する単繊維に交差する熱融着線によって行われているものとすることができる。また上記熱融着線の少なくとも一部が、上記単繊維層を構成する単繊維の長さ方向に間隔を隔てた２本の熱融着線であり、上記挿入孔が、前記２本の熱融着線の間に位置するものとすることができる。
【００１６】
更に、上記払拭材は、上記積層した単繊維層のうち厚さ方向一方の側および／または他方の側に、上記２本の熱融着線の間に形成された特定熱融着線のみにより他の単繊維層に熱融着している特定単繊維層を１又は２以上を有し、その特定単繊維層を構成する単繊維群が房状部を形成しているものとすることができる。
【００１７】
この場合、特定単繊維層以外の単繊維層による房状部は、単繊維層を構成する単繊維の長さ方向に間隔を隔てた２本の熱融着線よりも単繊維方向外側に形成される。一方特定単繊維層は、単繊維層を構成する単繊維の長さ方向に間隔を隔てた２本の熱融着線の内側の熱融着線のみにより他の単繊維層に熱融着し、その特定単繊維層を構成する単繊維の自由端から熱融着線に至るまでの部分が房状部を形成する。そのため、厚さ方向一方の側における房状部の密度を高めて効果的に清掃を行い得る。なお、特定単繊維層は、熱溶融性の単繊維と非熱溶融性の単繊維が混合して構成されたものとすることができる。
【００１８】
また、上記払拭材は、上記単繊維層の１又は２以上が、その単繊維層を構成する単繊維の一部として、他の単繊維よりも剛性が高い剛単繊維を満遍なく含むものとすることができる。
【００１９】
この場合、房状部における剛単繊維は、溝状部やその他の凹部並びに隅角部等の塵埃等を掻き出し、それらを他の単繊維により拭き取ることにより、効率的に清掃を行い得る。
【００２０】
なお、上記剛単繊維の剛性及び径は、その剛単繊維を含む単繊維層を構成する他の単繊維の剛性及び径のそれぞれ２倍以上であるものとすることができる。好ましくは４乃至１０倍である。
【発明の効果】
【００２１】
本発明の払拭材によれば、挿入孔に払拭材保持具を挿入して払拭材を保持し、積層した単繊維層のうち少なくとも厚さ方向一方の側の単繊維層における房状部を利用して種々の清掃対象を清掃することができる。
【発明を実施するための最良の形態】
【００２２】
本発明の実施の形態を、図面を参照しつつ説明する。
【００２３】
図面は何れも本発明の実施の形態としての払拭材に関するものであって、図１は説明図、図２は断面図、図３は平面図、図４は別の実施の形態についての断面図である。また図５乃至図９は更に別の実施の形態についてのものである。なお、図１乃至９に共通の符号は同一意義である。
【００２４】
図１乃至３記載の払拭材Ａは、ほぼ一定長さ（必ずしも一定長さであることを要するものではない。）の熱溶融性の単繊維１０が略並列状（端部側に単繊維による房状部が形成されるものであれば単繊維同士がある程度絡まり合っていても差し支えない。）に集合して所要厚さで所定長さ（図１及び図２における図の平面に垂直な方向、図３における縦方向。）の平面方形状の層状をなす第１単繊維層１２と、同様の構成の第２単繊維層１４と、前記単繊維１０の長さを幅とし前記所定長さを長さとする方形状の熱溶融繊維製の２枚の不織布１６（熱溶融繊維と非熱溶融性繊維からなり、全体として熱溶融性を有する不織布であってもよい。不織布にかぎらず、熱溶融性の合成樹脂シート等であってもよい。また、２枚でなく二つ折り等により実質上２枚にしたものを用いることもできる。更に、シート材が予め筒状に形成されたものを用いることもできる。）が、第１単繊維層１２と第２単繊維層１４の間に２枚の不織布１６が位置するように積層した、図１に示す積層物を用いて製造し得る。不織布１６の側縁（図における左右縁）は、ジグザグ状をなすものであることが、塵埃捕捉上好ましい。
【００２５】
この積層物の各単繊維１０方向（左右方向）における中央を挟んだ一対の対称位置において、長さ方向全体にわたり、各単繊維１０に直交する一対の外側熱融着線１８によって、第１単繊維層１２と第２単繊維層１４の全単繊維１０及び両不織布１６を矢示のように厚さ方向に熱融着させる。これにより、第１単繊維層１２と第２単繊維層１４における両外側熱融着線１８の外方部がそれぞれ房状部２０を構成する。なお、このような熱融着線の形成位置は必ずしも対称位置に限るものではない。また、熱融着線は、単繊維１０に直交するものに限らず、また、直線に限らず曲線や波線等であってもよい。また、熱融着線は長さ方向に連続であることを要するものではない。
【００２６】
更に、第１単繊維層１２及び第２単繊維層１４を構成する単繊維１０より短いほぼ一定長さの熱溶融性の単繊維２２が略並列状（端部側に単繊維による房状部が形成されるものであれば単繊維同士がある程度絡まり合っていても差し支えない。）に集合して所要厚さで所定長さの平面方形状の層状をなす第３単繊維層２４（特定単繊維層）を第２単繊維層１４の下側における左右方向中程に位置させて積層する。その左右方向中央位置において、長さ方向全体にわたり、各単繊維１０に直交する中央熱融着線２６によって、第１単繊維層１２、第２単繊維層１４及び第３単繊維層２４の全単繊維１０及び両不織布１６を矢示のように厚さ方向に熱融着させる。これにより、第３単繊維層２４における中央熱融着線２６の両側が房状部２８を構成する。なお、このような特定単繊維層を設けることは必ずしも要しない。また、厚さ方向一方の側に特定単繊維層を２以上設けることや、厚さ方向両側に特定単繊維層をそれぞれ１又は２以上設けることもできる。
【００２７】
また、前記熱融着により、両不織布１６の間における両外側熱融着線１８と中央熱融着線２６の間に一対の筒状の挿入孔３０が形成される。なお、払拭材Ａの長さ方向一方の端縁部を熱融着させると、挿入孔３０の一端が閉塞状態となる。長さ方向両方の端縁部を熱融着させると、両外側熱融着線１８と中央熱融着線２６の間の一対の筒状部の両端が閉塞状態となるので、その筒状部の一部に別途開口部を設けて挿入孔を形成することになる。図３に示す例においては、筒状部を形成する不織布１６の一端部１６ａを折り返して挿入孔３０の開口部Ｐを形成している。
【００２８】
これらの単繊維層を構成する熱溶融性の単繊維の例及び前記不織布を構成する繊維の例としては、ポリエステル、ポリプロピレン、ポリエチレン等の各種合成繊維を挙げることができる。これらの繊維は例えば０．５乃至５デシテックス（好ましくは２乃至４デシテックス）のものを用い得るがこれに限るものではない。またこれらの繊維は、着塵剤を（例えば、含有、含浸、外添等により）有するものでもよい。
【００２９】
挿入孔３０に挿入して払拭材Ａを保持し得る挿入部を備えた払拭材保持具を用い、その挿入部を挿入孔３０に挿入して払拭材Ａを保持し、積層した第１単繊維層１２と第２単繊維層１４のうち少なくとも第２単繊維層１４における房状部２０、並びに第３単繊維層２４における房状部２８を利用して種々の清掃対象を清掃することができる。第２単繊維層１４における房状部２０は、両外側熱融着線１８の外方部に形成されており、第３単繊維層２４における房状部２８は、両外側熱融着線１８の内側に位置する中央熱融着線２６の両側に形成されている。そのため、第２単繊維層１４の側における房状部２０・２８の密度を高めて効果的に清掃を行い得る。
【００３０】
第２単繊維層１４を十分に使用した後は、厚さ方向他方の側の第１単繊維層１２における房状部２０により清掃を行い得る。その際、必要に応じ払拭材保持具の挿入部の挿入孔３０に対する挿入姿勢等を変更する。第２単繊維層１４を用いた清掃による汚れは、第１単繊維層１２と第２単繊維層１４の間の全体にわたり介在する不織布１６により、第１単繊維層１２に拡がることが防がれる。このように両側の単繊維層を何れも有効に清掃に利用することができるので、たとえ使い捨てとするものであっても全体を十分に利用することができる。
【００３１】
なお、図４に二点差線で示すように、第１単繊維層１２と第２単繊維層１４を構成する単繊維の一部として、他の単繊維１０よりも１０倍程度剛性が高く１０倍程度径が太い剛単繊維３２（例えば５乃至１００デシテックス、好ましくは２０乃至６０デシテックスのものとすることができる。）を満遍なく含むものとすることができる。この場合、房状部２０における剛単繊維３２は、溝状部やその他の凹部並びに隅角部等の塵埃等を掻き出し、これを他の単繊維１０により拭き取ることにより、効率的に清掃を行い得る。また、第１単繊維層１２により清掃を行う場合、房状部２０以外の部分における剛単繊維３２が清掃対象に接することによりこびり付いた汚れを掻き取り、これを他の単繊維１０により拭き取ることにより、効率的に清掃を行い得る。
【００３２】
図５は説明図、図６は平面図、図７は不織布の端縁部を折り返した状態の平面図、図８及び図９は、それぞれ二つ折りして熱融着した状態の平面図及び正面図である。
【００３３】
図５乃至９記載の払拭材Ｂは、ほぼ一定長さの熱溶融性の単繊維１０が略並列状に集合して所要厚さで所定長さ（図５における図の平面に垂直な方向、図６における縦方向。）の平面方形状の層状をなす第１単繊維層１２の上に、前記単繊維１０の長さを幅とし前記所定長さよりも長い方形状の熱溶融繊維製の２枚の不織布１６が、長さ方向両方に第１単繊維層１２よりもはみ出すように積層した、図５に示す積層物を用いて製造し得る。
【００３４】
この積層物の各単繊維方向（左右方向）における中央を挟んだ一対の対称位置及び中央において、図６に示すように第１単繊維層１２のみの長さ方向全体にわたり、それぞれ各単繊維１０に直交する一対の外側熱融着線１８及び中央熱融着線２６（中央熱融着線２６を除くこともできる）によって、第１単繊維層１２の全単繊維１０及び両不織布１６を矢示のように厚さ方向に熱融着させる。これにより、第１単繊維層１２における両外側熱融着線１８の外方部がそれぞれ房状部２０を構成する。
【００３５】
次いで上側の不織布１６の長さ方向両端部１６ｂを内方に折り返し（図７）、更に、不織布１６が二つ折りに重なるように長さ方向の中央において全体を二つ折りし、単繊維１０方向における中央において更に中央熱融着線２６において全体を厚さ方向に熱融着させて一体状とすることにより、図８及び９に示す払拭材Ｂが得られる。両不織布１６の間における両外側熱融着線１８と中央熱融着線２６の間には、一対の筒状の挿入孔３０が形成されている。なお、図７に示す一体状物における不織布１６の上に更に熱溶融性の単繊維による単繊維層を形成して同様に処理すると、その単繊維層における中央熱融着線２６の両側に房状部が形成され、第１の単繊維層による両外側熱融着線１８の外方部の房状部２０と併せて房状部の密度を高めることができる。
【００３６】
この払拭材Ｂの両外側熱融着線１８の間の一端に位置する所定部分は、第１単繊維層１２と不織布１６が、その所定部分内に分布した複数の熱融着箇所Ｈにおいて厚さ方向に熱融着して薄厚の隙間挿入部Ｓに形成されている。
【００３７】
この場合、隙間挿入部Sを構成する所定部分は、複数の熱融着箇所Ｈにより全体として薄厚になるのでコンピュータ等のキーボードにおけるキー同士の隙間等の隙間に対する挿入性が良くなり、熱融着箇所Ｈ以外はやや厚目になるので、隙間の清掃効果が高くなる。
【図面の簡単な説明】
【００３８】
【図１】説明図である。
【図２】断面図である。
【図３】平面図である。
【図４】別の実施の形態についての断面図である。
【図５】更に別の実施の形態についての説明図である。
【図６】平面図である。
【図７】不織布の端縁部を折り返した状態の平面図である。
【図８】二つ折りして熱融着した状態の平面図である。
【図９】二つ折りして熱融着した状態の断面図である
【符号の説明】
【００３９】
１０      単繊維
１２      第１単繊維層
１４      第２単繊維層
１６      不織布
１６ａ    端部
１６ｂ    端部
１８      外側熱融着線
２０      房状部
２２      単繊維
２４      第３単繊維層
２６      中央熱融着線
２８      房状部
３０      挿入孔
３２      剛単繊維
Ａ        払拭材
Ｐ        開口部
Ｓ        隙間挿入部
Ｈ        熱融着箇所
【図１】
2005261731.tif 000003
【図２】
2005261731.tif 000004
【図３】
2005261731.tif 000005
【図４】
2005261731.tif 000006
【図５】
2005261731.tif 000007
【図６】
2005261731.tif 000008
【図７】
2005261731.tif 000009
【図８】
2005261731.tif 000010
【図９】
2005261731.tif 000011